(57)【要約】  産業プラントにおいて収集された各種データを用いて、利用者が自分の目的に合わせた任意の検索を行うことができ、更に、その検索結果を製品毎に所望の表示形式で表示させることができるデータ検索システムを提供する。  本データ検索システムでは、データ収集装置（３）が、産業プラントの圧延ラインにおいて製造された製品毎に製品データを収集し、その製品データをデータ蓄積装置（４）に蓄積させる。また、データ収集装置（３）は、産業プラントにおいて連続的に発生する制御データも収集し、データ蓄積装置（４）に蓄積させる。そして、データ検索装置（６）は、利用者が指定した検索条件及び出力方法に基づき、記憶装置内の圧延エリア定義情報を参照して、データ蓄積装置（４）に蓄積された製品データ及び制御データの双方を利用した検索を行い、その検索結果を製品毎に出力させる。
2012020468.tif 000002
【特許請求の範囲】
【請求項１】
産業プラントの圧延ラインにおいて製造された製品毎の製品データを収集し、所定のデータ蓄積装置に蓄積させる第１データ収集装置と、
前記産業プラントにおいて連続的に発生する制御データを収集し、前記データ蓄積装置に蓄積させる第２データ収集装置と、
前記圧延ラインを製品が必ず１本以下しか存在しない複数のエリアに分割し、前記第２データ収集装置によって収集される各制御データを、前記分割されたエリアの何れかに関連付けることによって得られた圧延エリア定義情報を有する記憶装置と、
利用者が所望の検索条件及び検索結果の出力方法を入力するための利用者端末と、
前記利用者端末から入力された検索条件及び出力方法に基づき、前記記憶装置内の前記圧延エリア定義情報を参照して、前記データ蓄積装置に蓄積された製品データ及び制御データの双方を利用した検索を行い、その検索結果を製品毎に出力させるデータ検索装置と、
を備えたことを特徴とするデータ検索システム。
【請求項２】
製品が前記圧延エリア定義情報に定義された各エリアを通過した時刻を、その製品の製品データに記録する通過時刻記録手段と、
前記第２データ収集装置に設けられ、受信した制御データに現在時刻を付加する時刻付加部と、
を更に備えたことを特徴とする請求項１に記載のデータ検索システム。
【請求項３】
前記産業プラントの各設備を制御し、制御データを発生させる制御コントローラと、
を更に備え、
前記制御コントローラが接続された制御用ＬＡＮに、複数の前記第２データ収集装置が接続され、
前記各第２データ収集装置は、前記制御用ＬＡＮの更新周期で更新される共通メモリを有し、前記制御コントローラから制御データを受信した際に、その共通メモリのカウンタデータを制御データに付加する
ことを特徴とする請求項１又は請求項２に記載のデータ検索システム。
【発明の詳細な説明】
【技術分野】
【０００１】
この発明は、鉄鋼・非鉄・金属等の産業プラントにおいて用いられるデータ検索システムに関するものである。
【背景技術】
【０００２】
鉄鋼・非鉄・金属等の産業プラントでは、品質管理やトラブル解析といった特定の目的のために、各種データの収集を行っている。即ち、品質管理やトラブル解析を行うための項目は予め定められており、その項目において正常／異常の判断を行うために必要なデータのみが収集されている。【０００３】
例えば、下記特許文献１には、鋼板の冷間圧延において板厚精度及び板形状の品質を管理するため、定期的（例えば、毎日、週毎等）に、オフゲージ率や板形状外れ率等の経時的な変化を算出し、異常を検出すると警報を発するものが提案されている。
【先行技術文献】
【特許文献】
【０００４】
【特許文献１】特開平１１−１２９０３０号公報
【発明の概要】
【発明が解決しようとする課題】
【０００５】
特許文献１に記載のものでは、データの収集や蓄積のために必要なリソースを抑えることはできるものの、汎用性がなく、予め定められた目的以外のために、収集されたデータを利用することができなかった。例えば、圧延ラインの管理者等が、不良製品に関するデータを後から検索して閲覧したり、収集されたデータを新たな目的のために利用したりすることはできなかった。【０００６】
この発明は、上述のような課題を解決するためになされたもので、その目的は、産業プラントにおいて収集された各種データを用いて、利用者が自分の目的に合わせた任意の検索を行うことができ、更に、その検索結果を製品毎に所望の表示形式で表示させることができるデータ検索システムに関するものである。
【課題を解決するための手段】
【０００７】
この発明に係るデータ検索システムは、産業プラントの圧延ラインにおいて製造された製品毎の製品データを収集し、所定のデータ蓄積装置に蓄積させる第１データ収集装置と、産業プラントにおいて連続的に発生する制御データを収集し、データ蓄積装置に蓄積させる第２データ収集装置と、圧延ラインを製品が必ず１本以下しか存在しない複数のエリアに分割し、第２データ収集装置によって収集される各制御データを、分割されたエリアの何れかに関連付けることによって得られた圧延エリア定義情報を有する記憶装置と、利用者が所望の検索条件及び検索結果の出力方法を入力するための利用者端末と、利用者端末から入力された検索条件及び出力方法に基づき、記憶装置内の圧延エリア定義情報を参照して、データ蓄積装置に蓄積された製品データ及び制御データの双方を利用した検索を行い、その検索結果を製品毎に出力させるデータ検索装置と、を備えたものである。
【発明の効果】
【０００８】
この発明に係るデータ検索システムであれば、産業プラントにおいて収集された各種データを用いて、利用者が自分の目的に合わせた任意の検索を行うことができ、更に、その検索結果を製品毎に所望の表示形式で表示させることができるようになる。
【図面の簡単な説明】
【０００９】
【図１】この発明の実施の形態１におけるデータ検索システムの全体を示す構成図である。
【図２】この発明の実施の形態１におけるデータ検索システムの要部を示す構成図である。
【図３】この発明の実施の形態１におけるデータ検索システムの他の要部を示す構成図である。
【図４】圧延ラインを複数のエリアに分割した状態を示す図である。
【図５】データ変換定義の概要を示す図である。
【図６】本データ検索システムを用いた検索の手順を説明するための図である。
【図７】本データ検索システムを用いた検索の手順を説明するためのフローチャートである。
【図８】データ検索装置の機能を説明するための図である。
【図９】データ検索装置の機能を説明するための図である。
【図１０】データ検索装置の機能を説明するための図である。
【図１１】データ検索装置の機能を説明するための図である。
【発明を実施するための形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態１におけるデータ検索システムの全体を示す構成図、図２はその要部を示す構成図、図３は他の要部を示す構成図である。
【００１２】
本データ検索システムは、鉄鋼・非鉄・金属等の産業プラントにおいて利用されるものであり、図１に示すようなハードウェア構成を有している。具体的に、本データ検索システムは、計算機１、制御コントローラ２、データ収集装置（ＤＣＳ：Ｄａｔａ  Ｃｏｌｌｅｃｔｏｒ  Ｓｅｒｖｅｒ）３、データ蓄積装置（ＤＳ：Ｄａｔａ  Ｓｔｏｒａｇｅ）４、利用者端末５、データ検索装置（ＳＥ：Ｓｅａｒｃｈ  Ｅｎｇｉｎｅ）６、により、その要部が構成される。
【００１３】
制御コントローラ２及びデータ収集装置３は、それぞれインターフェース（Ｉ／Ｆ）７を介して、制御用ＬＡＮ８に接続されている。なお、各インターフェース７には共通メモリ９が備えられており、各共通メモリ９のデータは、制御用ＬＡＮ８の更新周期で更新されるように構成されている。即ち、制御用ＬＡＮ８に接続されている全ての装置の共通メモリ９は、そのデータが制御用ＬＡＮ８の更新周期で等価されている。
【００１４】
また、計算機１、データ収集装置３、データ蓄積装置４、利用者端末５、データ検索装置６は、システム用ＬＡＮ１０に接続されている。
以下に、図２及び図３も参照し、本データ検索システムの各構成について、具体的に説明する。
【００１５】
計算機１は、産業プラントにおいて製品を製造するための指令を、制御コントローラ２に出力する機能を有している。具体的に、計算機１は、製品を製造するために必要な各種データを制御コントローラ２に出力し、その製造に必要な制御を制御コントローラ２に行わせる。また、計算機１は、製品の管理を行うため、製品の製造中及び製造後に、その製品に関する所定の実績データを取得し、記録する。そして、計算機１は、その製品の製造工程が全て終了すると、制御コントローラ２に対する指令や取得した実績データ等に基づいて、その製品に関する所定の製品データを作成し、作成した製品データをデータ収集装置３に出力する。
下記表１は、計算機１において作成される製品データの一例を示したものである。
【００１６】
【表１】
2012020468.tif 000003
【００１７】
製品データは、その製品に関する各種データを纏めたものであり、産業プラントの圧延ラインにおいて製品が製造される度に出力される。この製品データには、例えば、製品固有の番号である製品番号情報、圧延開始日時や圧延終了日時といった時刻情報、製品に含まれている化学成分やその比率、製品の寸法や形状といった品質情報、圧延中の製品の温度や形状、寸法といった圧延情報が含まれている。なお、圧延情報には、例えば、産業プラントの圧延ラインを複数のエリアに分割した時のエリア毎の通過時刻も含まれる。（このエリアに関する具体的な説明については、後述する。）また、製品データには、上記各情報の他にも、製品の目標板厚や目標板幅といった初期入力情報、圧延荷重設定値や圧延速度設定値といった、各設備に対する設定情報、製品の実績板厚や実績板幅といった実績情報等も含まれる。
【００１８】
制御コントローラ２は、産業プラントの各設備に対する制御機能を有している。即ち、制御コントローラ２は、計算機１から製品を製造するための指令を受信すると、その受信データに基づいて製造のためのスケジューリングを行い、各設備の動作を具体的に決定する。また、制御コントローラ２は、製品の製造時、各設備を制御する上で必要になる各種データ（制御データ）を、データ収集装置３に対して出力する。この制御データには、例えば、モータ等のドライブ装置の設定情報や実績情報、圧延ライン上に設置されている計測機器からの実績情報（計測値）等が含まれる。
【００１９】
データ収集装置３は、製品データ及び制御データを収集し、データ蓄積装置４に蓄積させる機能を有している。このデータ収集装置３は、例えば、データ受信部１１、データ変換処理部１２、カウンタ付加部１３、時刻付加部１４、データ送信部１５により、その要部が構成される。
【００２０】
データ収集装置３は、第１データ収集装置としての機能を備えており、圧延ラインで製造された各製品の製品データを収集する。具体的に、データ収集装置３は、計算機１から製品データが送信されると、その製品データをデータ受信部１１によって受信する。データ収集装置３は、製品データを受信すると、データ変換処理部１２により、その受信した製品データをデータ蓄積装置４に格納できるデータ形式に変換する。また、データ収集装置３は、カウンタ付加部１３によって、受信した製品データに制御用ＬＡＮ８上のカウンタデータを付加する。そして、データ収集装置３は、上記各処理を施すと、データ送信部１５から製品データを送信し、データ蓄積装置４に製品データを格納させる。
【００２１】
また、データ収集装置３は、第２データ収集装置としての機能も備えており、産業プラントにおいて連続的に発生する各制御データを収集する。具体的に、データ収集装置３は、制御コントローラ２から制御データが送信されると、その制御データをデータ受信部１１によって受信する。データ収集装置３は、制御データを受信すると、データ変換処理部１２により、その受信した制御データをデータ蓄積装置４に格納できるデータ形式に変換する。また、データ収集装置３は、カウンタ付加部１３によって、受信した制御データに制御用ＬＡＮ８上のカウンタデータを付加し、更に、時刻付加部１４によって現在時刻を付加する。そして、データ収集装置３は、上記各処理を施すと、データ送信部１５から制御データを送信し、データ蓄積装置４に制御データを格納させる。
下記表２は、データ蓄積装置４に記録された制御データの一例を示したものである。
【００２２】
【表２】
2012020468.tif 000004
【００２３】
制御データは、各設備の制御に利用されるデータ等で構成されるため、断続的に出力される上記製品データとは異なり、非常に短い周期（例えば、２ｍｓｅｃ或いは５０ｍｓｅｃ程度の周期）で連続的に発生し、データ収集装置３には、膨大な量の制御データが入力される。このため、データ収集装置３は、収集するデータの規模に合わせて、１台或いは複数台から構成される。
【００２４】
データ蓄積装置４は、各種データを蓄積しておくためのものである。データ蓄積装置４には、上述の通り、データ収集装置３から送信されてきた製品データや制御データが随時記録される。また、データ蓄積装置４は、記憶装置としての機能も備えており、上記製品データ及び制御データの他、所定の圧延エリア定義情報が備えられている。
以下に、この圧延エリア定義情報について説明する。
【００２５】
産業プラントの圧延ライン上に製品が１本しか存在しない場合、制御コントローラ２から出力された制御データは、当然、その製品を製造する際に発生したデータであり、圧延ライン上の製品にそのまま関連付ける（制御データと製品とを１対１で対応付ける）ことができる。しかし、圧延ラインには、通常、複数の製品が存在する。このため、制御コントローラ２から制御データが出力されても、その制御データを圧延ライン上の製品にそのまま関連付けることはできない。即ち、制御コントローラ２から出力された制御データ自体からは、その制御データが、圧延ライン上のどの製品を製造する際に発生したデータなのかは分からない。
【００２６】
そこで、本データ検索システムにおいては、産業プラントの圧延ラインを、図４に示すように、製品が必ず１本以下しか存在しない複数のエリアに分割し、その分割した各エリアと、そのエリアを監視する制御データとを予め関連付けて定義しておく。即ち、データ収集装置３によって収集される各制御データは、上記分割されたエリアの何れか１つに関連付けられている。そして、このようにして得られた各エリアと制御データの対応情報を、圧延エリア定義情報としてデータ蓄積装置４に予め記憶させておく。
なお、図４は圧延ラインを複数のエリアに分割した状態を示す図であり、下記表３は、その時の圧延エリア定義情報の一例を示している。
【００２７】
【表３】
2012020468.tif 000005
【００２８】
図４に示すものでは、産業プラントの圧延ラインを、粗圧延エリア、均熱炉エリア、仕上圧延エリア、ＲＯＴ（Ｒｕｎ  Ｏｕｔ  Ｔａｂｌｅ）エリア、ＤＣ（Ｄｏｗｎ  Ｃｏｉｌｅｒ）エリアの５つのエリアに分割し、各エリアを監視するデータの項目として、粗圧延実績、均熱炉入側温度、仕上圧延実績、スプレー水量、巻取温度を設定している。例えば、粗圧延実績には、粗圧延エリアの各設備を制御する上で必要な各種データ（制御データ）が定義されている。他のデータ項目についても同様である。
【００２９】
また、上記計算機１には、通過時刻記録手段としての機能も備えられている。即ち、計算機１は、製品が上記圧延エリア定義情報に定義された各エリアを通過すると、その通過時刻を、対応する製品の製品データに記録する。
例えば、仕上圧延実績に板厚計からの計測値（制御データ）が含まれる場合、製品が仕上圧延エリアに進入すると、板厚計の計測値は、０から所定の値に急激に増加する。また製品が仕上圧延エリアを通過し終わると、板厚計の計測値は、上記所定の値から０に急激に減少する。計算機１（通過時刻記録手段）は、このような制御データの急激な変化等に基づき、製品が各エリアを通過した時刻（そのエリアへの進入時刻とそのエリアからの退出時刻）を自動的に検出し、製品データの一部として記録する。
【００３０】
利用者端末５は、データ検索を行いたい利用者が操作するための端末である。本データ検索システムは、利用者が自分の目的に合わせた任意の検索を行うことができるように構成されている。即ち、利用者は、利用者端末５から、所望の検索条件や検索結果の出力方法を入力する。
【００３１】
データ検索装置６は、データ蓄積装置４に蓄積された各種データの検索を行う機能と、その検索結果を製品毎に所定の方法によって出力させる機能とを有している。データ検索装置６は、利用者端末５から入力された検索条件や出力方法に基づいて、検索や出力に必要な処理を行う。このような機能を実現するため、データ検索装置６には、例えば、データ処理装置１６、データ編集装置１７、画面転送装置１８が備えられている。
【００３２】
画面転送装置１８は、利用者端末５のディスプレイに、必要な情報を表示させる機能を有している。例えば、画面転送装置１８は、データ検索装置６が利用者端末５から要求を受信していない場合、リモートアクセス処理部１９によって、利用者端末５のディスプレイに所定のＷｅｂ画面（初期画面）を表示させる。
【００３３】
利用者が利用者端末５を操作し、Ｗｅｂ画面から検索を開始するための要求（開始要求）を送信すると、その開始要求は、データ処理装置１６の開始要求受信部２０によって受信される。データ処理装置１６は、開始要求受信部２０によって開始要求を受信すると、検索画面生成部２１により、利用者に検索条件や検索結果の出力方法を入力してもらうための画面（検索画面）を作成し、その画面情報を画面転送装置１８に送信する。画面転送装置１８は、検索画面生成部２１から上記画面情報を受信すると、リモートアクセス処理部１９により、利用者端末５に検索画面を表示させる。
【００３４】
また、利用者が利用者端末５を操作し、検索画面から検索条件や検索結果の出力方法を指定して検索要求を送信すると、その検索要求は、データ処理装置１６の検索要求受信部２２によって受信される。データ処理装置１６は、検索要求受信部２２によって検索要求を受信すると、データ蓄積装置４にアクセスしてデータ検索処理部２３による検索を実行し、指定された検索条件に該当するデータをデータ蓄積装置４から抽出する。
【００３５】
データ検索処理部２３によって行われた検索の結果は、データ編集装置１７の検索結果受信部２４によって受信される。データ編集装置１７は、検索結果受信部２４によって検索結果を受信すると、利用者が検索画面から要求した内容に基づき、検索結果編集部２５によって検索結果の編集を行う。
【００３６】
例えば、データ編集装置１７には、図５に示すような、データの変換公式や表示方式が予め登録されたデータ変換定義が格納されている。データの変換公式には、産業プラントにおける問題解析で用いられている各種公式（例えば、統計解析のための公式・問題分析する調査員が独自に持つノウハウに基づく計算式等）が定義されている。また、表示方式には、上記変換公式によって変換されたデータや未変換のデータを用いてどのような表示を行うかといった内容が定義されている。検索結果編集部２５は、このデータ変換定義内の変換公式や表示方式を利用者の指示に基づいて適切に選択し、必要な処理を行う。
【００３７】
データ編集装置１７は、検索結果編集部２５による編集結果を利用者が指定した表示方式（例えば、表形式・グラフ形式）で表示するための画面を作成すると、その画面情報を画面転送装置１８に送信する。画面転送装置１８は、検索結果編集部２５から上記画面情報を受信すると、リモートアクセス処理部１９により、利用者端末５のディスプレイに検索結果を表示させる。
【００３８】
なお、本データ検索システムでは、上述のように、データ蓄積装置４に予め圧延エリア定義情報が備えられており、データ検索装置６による検索において、制御データと製品データとの双方を利用することが可能である。以下に、図６乃至図１１も参照し、制御データと製品データとの双方を利用して検索を行う場合の手順について、具体的に説明する。
【００３９】
図６は本データ検索システムを用いた検索の手順を説明するための図、図７はそのフローチャート、図８乃至図１１はデータ検索装置の機能を説明するための図である。なお、以下の説明においては、図４及び上記表３に示す圧延エリア定義情報がデータ蓄積装置４に予め備えられているものとする。
【００４０】
利用者は、例えば、今まで製造した製品で不良となったもの（或いは、不良に近い状態のもの）を抽出し、その不良製品について、所定の設備においてどのような制御が行われたのか、即ち、その設備に関する制御データ（制御データを用いて得られる値）がどのようなトレンドを有しているのかといったことを確認するために、本データ検索システムを利用する。
【００４１】
図６及び図７に示すように、利用者は、不良製品の抽出を行うため、先ず、利用者端末５から製品データの検索条件を設定し、その設定した条件をデータ検索装置６に対して送信する（Ｓ１０１）。なお、ここで設定する条件とは、既に製造されている製品の中から、最終寸法や製造過程での計測値が、目標値や利用者が指定する値を超えていたり、逆に不足していたりしていたものを検索するための条件である。例えば、利用者は、収集の対象とする製品データとして、板厚が３ｍｍを超えるものを指定し、データ検索装置６に検索を実行させる。
【００４２】
データ検索装置６は、データ蓄積装置４のＤＢに蓄積された製品データの中から、利用者が指定した条件に該当するものを検索する（Ｓ１０２）。上記検索条件に該当する製品データがデータ蓄積装置４に存在しない場合、データ検索装置６は、利用者端末５にエラーメッセージを表示するとともに、利用者が製品データの検索条件を再度設定できるように画面の切り替えを行う（Ｓ１０３）。
【００４３】
また、上記検索条件に該当する製品データがデータ蓄積装置４に存在する場合、データ検索装置６は、その条件を満たす製品の一覧を利用者端末５のディスプレイに表示させる（Ｓ１０４）。図６は、データ蓄積装置４のＤＢ内に、上記検索条件（板厚が３ｍｍを超える）に該当する製品が４つ存在する場合を示している。
【００４４】
Ｓ１０１で指定した条件に該当する製品の一覧が利用者端末５に表示されると、利用者は、利用者端末５を操作し、その表示の中から、更に検索を行いたい製品と、出力させたい制御データとを選択する（Ｓ１０５）。図６は、利用者が、ディスプレイに表示された４つの製品の中からＡ０００３の製品番号を有する製品を選択し、出力する制御データとして、粗圧延実績、仕上圧延実績、巻取温度を指定した場合を示している。
【００４５】
Ｓ１０５において検索対象とする製品及び制御データの選択を行うと、利用者は、利用者端末５から、更に、統計解析の方法や処理結果の表示方法の選択を行う（Ｓ１０６）。例えば、利用者は、統計解析として板長を選択し、表示方式として、縦軸が板厚及び横軸が板長の線グラフを選択する。そして、利用者は、必要な入力が全て終了すると、選択した内容をデータ検索装置６に送信する。
【００４６】
データ検索装置６では、受信した内容に基づき、データ検索・検索結果の統計解析・データ表示等の各処理を順次実施する（Ｓ１０７乃至Ｓ１１０）。
例えば、データ検索装置６は、利用者が選択した製品の製品データを参照することにより、その製品が、圧延ラインの各エリアを通過した期間を特定する。上述した通り、圧延エリア定義情報には、各制御データがどのエリアを監視しているのかといった情報が予め登録されている。このため、データ検索装置６は、圧延エリア定義情報と製品データとの双方を参照することにより、利用者が選択した製品について、利用者が指定した制御データに対応する各エリアの通過時刻を判別することができる（図８参照）。即ち、利用者が、出力する制御データとして、粗圧延実績、仕上圧延実績、巻取温度を指定した場合、データ検索装置６は、その製品データと圧延エリア定義情報とを参照し、その製品が粗圧延エリア、仕上圧延エリア、ＤＣエリアを通過した各時刻を特定する。
【００４７】
検索対象の製品について上記各対応エリアの通過時刻を特定すると、データ検索装置６は、その通過時刻に取得された制御データの中から、利用者が指定した統計解析や表示方式に必要なデータを取得する。例えば、上述したように、統計解析として板長が、表示方式として、縦軸が板厚及び横軸が板長の線グラフが選択されている場合、データ検索装置６は、下記表４に示すようなデータを、上記特定した各エリアの通過時刻に合わせて時系列に抽出する。
【００４８】
【表４】
2012020468.tif 000006
【００４９】
必要な制御データの抽出を行うと、データ検索装置６は、利用者が指定した変換公式に基づいて、データの変換を行う。例えば、データ検索装置６は、図９に示すような変換公式を用いて、圧延速度及び前進率から板長を算出し、取得した時系列データを製品の長さを基準としたデータに変換して出力する。また、必要なデータ変換を行うと、データ検索装置６は、利用者が指定した表示方式に基づいて、画面情報の生成を行う。例えば、データ検索装置６は、図１０に示すような表示フォーマットに基づいて、線グラフを作成する。この時、変換公式によって変換されたデータと未変換のデータとの双方を利用して表示を行う場合は、データ収集時に付加されたカウンタデータを利用することにより、グラフ表示の際に各データの同期がずれないようにする。
【００５０】
そして、データ検索装置６は、作成した画面情報を利用者端末５に送信することにより、図１１に示すような線グラフを利用者端末５のディスプレイに表示させる。なお、検索結果（例えば、図１１に示すような線グラフ）がディスプレイに表示されると、利用者は、利用者端末５を操作して、出力したいデータを選択し（Ｓ１１１）、所定の記憶媒体にファイルとして出力させる（Ｓ１１２）。
【００５１】
上記構成を有するデータ検索システムであれば、利用者は、産業プラントにおいて収集された各種データを利用して、自分の目的に合わせた任意の検索を行うことができる。なお、本データ検索システムでは、産業プラントにおいて発生する製品データや制御データを特定の目的に縛られずに収集しているため、利用者は、発生した事象に応じて、任意の検索を行うことができる。例えば、利用者は、検索方法や検索結果の出力方法を変更しながら必要な検索を繰り返し行ったり、一次解析から二次解析といった発展的な解析を行ったりすることが可能である。
【００５２】
また、本データ検索システムでは、圧延エリア定義情報を利用することにより、発生頻度や発生周期が全く異なる製品データと制御データとの関連付けを可能にしている。このため、利用者は、例えば、特定の製品について、所定の設備を通過した時の制御データのみを収集し、その傾向を把握するといったように、制御データと製品データとの双方を利用した検索を行うことも可能となる。
【００５３】
なお、本データ検索システムでは、データ変換定義に新たな変換公式や表示方式を追加することにより、検索方法や検索結果の出力方法の選択肢を後から変更することも可能である。
【００５４】
また、突発的に発生するデータ（例えば、異常時に発生するアラームデータ）も収集し、それらのデータも検索において利用できるように本システムを構成しても良い。かかる場合、例えば、突発的に発生し得る各データについても、分割したエリアの何れか１つに関連付けて圧延エリア定義情報に定義しておき、更に、データ収集装置３による収集時に、カウンタデータと現在時刻とを付加して、データ蓄積装置４に格納すれば良い。
【産業上の利用可能性】
【００５５】
この発明は、鉄鋼・非鉄・金属等の産業プラントにおいて用いられるデータ検索システムに対して適用することができる。
【符号の説明】
【００５６】
１  計算機
２  制御コントローラ
３  データ収集装置（ＤＣＳ）
４  データ蓄積装置（ＤＳ）
５  利用者端末
６  データ検索装置（ＳＥ）
７  インターフェース（Ｉ／Ｆ）
８  制御用ＬＡＮ
９  共通メモリ
１０  システム用ＬＡＮ
１１  データ受信部
１２  データ変換処理部
１３  カウンタ付加部
１４  時刻付加部
１５  データ送信部
１６  データ処理装置
１７  データ編集装置
１８  画面転送装置
１９  リモートアクセス処理部
２０  開始要求受信部
２１  検索画面生成部
２２  検索要求受信部
２３  データ検索処理部
２４  検索結果受信部
２５  検索結果編集部
【図１】
2012020468.tif 000007
【図２】
2012020468.tif 000008
【図３】
2012020468.tif 000009
【図４】
2012020468.tif 000010
【図５】
2012020468.tif 000011
【図６】
2012020468.tif 000012
【図７】
2012020468.tif 000013
【図８】
2012020468.tif 000014
【図９】
2012020468.tif 000015
【図１０】
2012020468.tif 000016
【図１１】
2012020468.tif 000017
【国際調査報告】
2012020468.tif 000018
2012020468.tif 000019